(57)【要約】【課題】本発明は釣り用バケツに関し、実釣時に蓋体を開いて使用している状態で直ぐに柄杓が使えるようにこれを保持し、而も、柄杓で撒き餌を掬う際に、スムーズに作業をすることのできる釣り用バケツを提供することを目的とする。【解決手段】請求項１に係る発明は、上部が開口するバケツ本体と、当該バケツ本体の開口部を開閉自在に覆う折り曲げ可能な蓋体とからなる釣り用バケツに於て、上記蓋体の裏面に、一端側に切欠き部を有する柄杓保持具を設けたことを特徴とする。そして、請求項２に係る発明は、請求項１記載の釣り用バケツに於て、柄杓保持具は、蓋体の折曲げ使用時に、一端側の切欠き部がバケツ本体の開口部に突出することを特徴とする。【選択図】      図２
2004283025.tif 000002
【特許請求の範囲】
【請求項１】
上部が開口するバケツ本体と、当該バケツ本体の開口部を開閉自在に覆う折り曲げ可能な蓋体とからなる釣り用バケツに於て、
上記蓋体の裏面に、一端側に切欠き部を有する柄杓保持具を設けたことを特徴とする釣り用バケツ。
【請求項２】
柄杓保持具は、蓋体の折曲げ使用時に、一端側の切欠き部がバケツ本体の開口部に突出することを特徴とする請求項１記載の釣り用バケツ。
【発明の詳細な説明】
【０００１】
【発明の属する技術分野】
本発明は、釣り具入れや撒き餌入れ等に使用される釣り用バケツに関する。
【０００２】
【従来の技術】
従来、釣り具入れや撒き餌入れに使用される釣り用バケツ（以下、「バケツ」という）は、柔軟性，防水性を有する合成樹脂シートで成形されて上方が開口する箱状のバケツ本体と、同じく柔軟性，防水性を有する合成樹脂シートで成形されてバケツ本体の開口部を覆う蓋体と、バケツを運搬するためのハンドルやベルトとからなるものが広く知られており、通常、蓋体はその周縁部がバケツ本体の開口部に沿ってファスナ等で止着できるようになっている。
【０００３】
そして、この種のバケツは、撒き餌入れとして使用する場合、いつでも柄杓で撒き餌が掬えるように釣りをしている最中は足元に置いて使用することが多く、蓋体を半折りしてバケツを半開状態で使用したり、蓋体を全開してバケツを全開状態で使用できる構成が一般的である。
ところで、撒き餌の投入は釣りをし乍ら行うため、直ぐに柄杓の柄を握って撒き餌を撒くことができるようにしておくことが好ましく、従来、下記の特許文献１に開示されるように蓋体を開いてバケツ本体の縁に柄杓を立て掛けたり、特許文献２に開示されるように別体の柄杓保持具をバケツ本体の縁に取り付けてこれに柄杓を立て掛けたり、或いは特許文献３に開示されるようにバケツ本体の側面の外側にポケットを設けて、このポケットに柄杓を差し込んでおく等の方法が採られている。
【０００４】
また、特許文献４には、図８乃至図１０に示すようにバケツ本体１と、その上部の開口部を開閉可能に覆う蓋体３との間に、バケツ本体１の一側に固定される固定蓋５と、当該固定蓋５に屈折部７を介してバケツ本体１に対し自由に開閉する可動蓋９とからなる補助蓋１１を介装して、可動蓋９の横幅の略中央部に柄杓１３を嵌挿可能とする切欠き部１５を設けると共に、可動蓋９を剛性蓋体で成形して、柄杓１３の持ち上げ操作で屈折部７を支点に可動蓋９を開動可能としたバケツ１７が開示されている。
【０００５】
【特許文献１】
実用新案登録第３００４５５７号公報（第１頁−第２頁、図３）
【特許文献２】
実開平７−３９４５１号公報（第１頁−第２頁、図１）
【特許文献３】
実用新案登録第３０８０１６４号公報（第１頁−第２頁、図１）
【特許文献４】
特開平１０−２４８４６３号公報（段落番号「０００８」〜「００２１」、図３）
【０００６】
【発明が解決しようとする課題】
しかし乍ら、蓋体を開いてバケツ本体の縁に柄杓を立て掛けておくと、風で柄杓が移動してしまったりバケツ本体内に倒れて直ぐに使用することができず、使い勝手が悪いのが実情であった。
【０００７】
また、上記特許文献２に開示された柄杓保持具をバケツ本体の縁に取り付けると、柄杓保持具がバケツ本体の内周面から突出するため、柄杓で掬った撒き餌をバケツ本体の内周面に押し付けて掬い部で団子状に固める作業をするときに邪魔になり、更にまた、柄杓の抜き取りと同時に柄杓保持具が外れて海中に落としてしまう等の不具合があった。
【０００８】
一方、特許文献３に開示されたバケツにあっては、バケツ本体の外側に突出したポケットに釣糸が絡まる等して邪魔になり、また、ポケット内に撒き餌が溜まってしまう等の不具合が指摘されている。
そして、特許文献４に開示されたバケツは、可動蓋の開動を柄杓で迅速に行うことができる反面、可動蓋を開いた状態での柄杓の保持手段がないため、可動蓋を開け、バケツを足元に置いて必要に応じ柄杓で撒き餌を掬って投入する際に、従来と同様、柄杓をバケツ本体の縁に立て掛けておかなければならず、また、柄杓を切欠き部で保持させるには、逐一可動蓋を閉じなければならない欠点があった。
【０００９】
本発明は斯かる実情に鑑み案出されたもので、実釣時に蓋体を開いて使用している状態で直ぐに柄杓が使えるようにこれを保持し、而も、柄杓で撒き餌を掬う際に、スムーズに作業をすることのできるバケツを提供することを目的とする。
【００１０】
【課題を解決するための手段】
斯かる目的を達成するため、請求項１に係る発明は、上部が開口するバケツ本体と、当該バケツ本体の開口部を開閉自在に覆う折り曲げ可能な蓋体とからなるバケツに於て、上記蓋体の裏面に、一端側に切欠き部を有する柄杓保持具を設けたことを特徴とする。
【００１１】
そして、請求項２に係る発明は、請求項１記載のバケツに於て、柄杓保持具は、蓋体の折曲げ使用時に、一端側の切欠き部がバケツ本体の開口部に突出することを特徴としている。
【００１２】
（作用）
請求項１に係る発明によれば、蓋体の裏面に設けた柄杓保持具の切欠き部によって柄杓が保持される。
【００１３】
そして、請求項２に係る発明によれば、蓋体を折り曲げて使用すると、柄杓保持具の一端側に設けた切欠き部がバケツ本体の開口部に突出し、当該切欠き部によって柄杓が保持できる。
【００１４】
【発明の実施の形態】
以下、本発明の実施形態を図面に基づいて詳細に説明する。
【００１５】
図１乃至図４は請求項１及び請求項２の第一実施形態に係るバケツを示し、図１に於て、２１はエチレン酢酸ビニル，塩化ビニル等の柔軟な合成樹脂シートの端部を溶着や接着等で接合して成形した防水性を有するバケツ本体で、図２に示すようにバケツ本体２１は箱状に成形されて上部に開口部２３が開口し、当該開口部２３の一側に、バケツ本体２１と同一材料で成形された蓋体２５が、同じく合成樹脂シートからなるヒンジ部材２７を介して連結されている。
【００１６】
また、一対の運搬用のハンドル２９がバケツ本体２１の前側面３１と後側面３３の外周に取り付けられているが、バケツ本体２１の側面上部、即ち、前後側面３１，３３と左右側面３５，３７を構成する合成樹脂シートの上部は、図３に示すように金属や合成樹脂で成形された平面視矩形状のフレーム３９で外側に折り返されて開口部２３の開口周縁部を形成しており、夫々の折返し片４１は、端部を除き各側面３１，３３，３５，３７の外側にウエルダ加工によって接合されている。
【００１７】
そして、各折返し片４１の端部と、蓋体２５の周縁部との間にファスナ４３のテープ４５，４７が縫着されており、ファスナ４３の操作部４９をヒンジ部材２７まで移動させると蓋体２５が全開状態となり、また、図２に示すように操作部４９をハンドル２９まで移動させて蓋体２５を半折りすると、半開状態でバケツ５１が使用できるようになっているが、図１及び図３に示すように蓋体２５の表面側の中央には、前側面３１から後側面３３方向に折り溝５３が形成されており、蓋体２５は当該折り溝５３部分が薄肉となっている。
【００１８】
このため、当該折り溝５３を折り目として、蓋体２５の反ヒンジ部材２７側の一方側（以下、「可動蓋」という）２５ａが、ヒンジ部材２７側の他方側（以下、「固定蓋」という）２５ｂへ容易に谷折りできるようになっている。
そして、蓋体２５を折り曲げて開いた状態でこれを保持する保持具として、可動蓋２５ａと固定蓋２５ｂの表面にフック５５，５７が止着されており、折り溝５３に沿って可動蓋２５ａを固定蓋２５ｂ側に折り曲げてフック５５をフック５７に係合すれば、図２に示すように固定蓋２５ｂ上に可動蓋２５ａが保持されてバケツ５１が半開状態となる。
【００１９】
また、図１及び図２に示すように可動蓋２５ａの周縁部には、可動蓋２５ａを開口部２３に被せた際（蓋体２５の閉鎖時）に、バケツ本体２１（前後側面３１，３３と左側面３５）の上部外周を覆う壁部（以下、「スカート部」という）５９が当該外周に沿って延設されており、前，後側面３１，３３と左側面３５の折返し片４１は、当該スカート部５９の形状に沿って裁断されてその端部にファスナ４３が取り付き、また、蓋体２５側も、固定蓋２５ｂの端部からスカート部５９の端部に亘ってファスナ４３が屈曲し乍ら取り付けられている。
【００２０】
そして、本実施形態に係るバケツ５１は、上述の如き構成に加え、蓋体２５の裏面側に柄杓保持具６１を取り付けたことを特徴とする。
柄杓保持具６１は、ゴムや合成樹脂等の可撓性または柔軟性を有する材料で成形された平面視矩形状の板材からなり、図２に示すように折り溝５３を跨って蓋体２５の略中央部に配置されている。そして、反ヒンジ部材２７側に位置するその一端側６１ａに、出入れ口６３が開口し且つ奥部が幅広な略Ｃ字状に切り欠かれた切欠き部６５が形成されている。そして、図３に示すように一端側６１ａ側に比し薄肉に成形された柄杓保持具６１の他端側６１ｂは、固定蓋２５ｂの裏面側に熱溶着や接着（縫着でもよい）で止着されており、図２及び図４に示すようにファスナ４３の操作部４９を折り溝５３まで移動させて蓋体２５を半折りすると、言い換えれば、蓋体２５の可動蓋２５ａをヒンジ部材２７側へ谷折りして蓋体２５の保持具のフック５５をフック５７に係合すると、固定蓋２５ｂに沿って、柄杓保持具６１の一端側６１ａの出入れ口６３と切欠き部６５がバケツ本体２１の開口部２３に突出するように現れるようになっている。
【００２１】
尚、出入れ口６３は開口部２３に向けて徐々に幅が広がっており、斯かる形状によって柄杓６７の柄６９を出入れ口６３から切欠き部６５に誘導し易くなっている。
そして、図４に示すように切欠き部６５は、柄杓６７の柄６９よりも大径に、また、出入れ口６３は柄６９よりも幅狭に成形されており、出入れ口６３を変形させて柄６９を切欠き部６５に出し入れできるようになっている。そして、切欠き部６５に柄杓６７を保持させているとき、図示しないが柄杓６７の掬い部はバケツ本体２１内に差し込まれてその底に当接している。
【００２２】
尚、図２に示すように本実施形態は、折り溝５３を跨って柄杓保持具６１を蓋体２５の略中央部に配置したが、柄杓保持具６１をハンドル２９側に片寄らせて配置してもよい。
また、切欠き部６５を小径にして、柄６９を出入れ口６３から押圧し乍ら切欠き部６５に保持させてもよい。
【００２３】
本実施形態に係るバケツ５１はこのように構成されているから、撒き餌入れとしての使用に当たり、図２及び図４の如くファスナ４３の操作部４９を折り溝５３まで移動させて、蓋体２５の可動蓋２５ａを折り溝５３に沿ってヒンジ部材２７側へ谷折りしてフック５５をフック５７に係合すれば、固定蓋２５ｂに沿って、柄杓保持具６１の一端側６１ａの切欠き部６５がバケツ本体２１の開口部２３に突出するように現れる。
【００２４】
そして、出入れ口６３を変形させ乍ら柄６９を切欠き部６５に出し入れすることによって、直ぐ使えるように柄杓６７が柄杓保持具６１で保持され、柄杓６７で撒き餌を掬うときに柄杓保持具６１が邪魔になることもなく、また、柄杓６７で掬った撒き餌をバケツ本体２１の内周面に押し付けて掬い部で団子状に固める作業をするときにも柄杓保持具６１が邪魔になることもないし、柄杓６７の抜き取りと同時に柄杓保持具６１が外れてしまうこともない。
【００２５】
また、撒き餌をした後に、開いた可動蓋２５ａを開口部２３に被せて開口部２３が閉鎖されるが、ファスナ４３を閉めなくとも、スカート部５９がバケツ本体２１の上部外周を覆ってバケツ５１内への雨の浸入を防ぎ、また、風で煽られても、スカート部５９がバケツ本体２１の上部外周に引っ掛かって可動蓋２５ａが不用意に開くことを防止する。
【００２６】
更にまた、蓋体２５を閉じると、柄杓保持具６１は蓋体２５の裏面に当接してバケツ本体２１内に突出することがないため、物の収納の妨げとなることがない。
このように本実施形態によれば、実釣時に蓋体２５を折り曲げて使用している状態で、直ぐに柄杓６７が使えるようにこれを保持しておくことができると共に、柄杓６７で撒き餌を掬うときに柄杓保持具６１が邪魔にならず、作業がスムーズに行える利点を有する。
【００２７】
図５乃至図７は請求項１及び請求項２の第二実施形態に係るバケツを示し、以下、本実施形態を図面に基づき説明するが、上記第一実施形態と同一のものには同一符号を付してそれらの説明は省略する。
図５に於て、２５−１はヒンジ部材２７を介してバケツ本体２１に連結された蓋体で、当該蓋体２５−１も前記蓋体２５と同一材料で成形されているが、折り溝５３は設けられていない。このため、蓋体２５−１は材料自体が有する可撓性，柔軟性によって折れ曲がり、蓋体２５に比し緩やかに湾曲して折れ曲がる。
【００２８】
そして、本実施形態に於ても、蓋体２５−１を折り曲げて開いた状態でこれを保持する保持具として蓋体２５−１の表面にフック５５，５７が止着されており、蓋体２５−１を半折りしてフック５５をフック５７に係合することで、図５の如くバケツ５１−１が半開状態で使用できるようになっているが、本実施形態も、蓋体２５−１の裏面側に柄杓保持具６１を取り付けて、バケツ５１−１の半開状態での使用時に、柄杓保持具６１の一端側６１ａの切欠き部６５がバケツ本体２１の開口部２３に突出するように構成したものである。
【００２９】
図６及び図７に示すように柄杓保持具６１は、切欠き部６５が形成された一端側６１ａがヒンジ部材２７に向かって蓋体２５−１の裏面側中央に配置され、他端側６１ｂが蓋体２５−１の裏面に熱溶着や接着（縫着でもよい）で止着されている。
そして、ファスナ４３の操作部４９をハンドル２９間まで移動させて、蓋体２５−１を半折りしてフック５５をフック５７に係合すると、図７の如く柄杓保持具６１が半折りした蓋体２５−１と共に反転して現れ、一端側６１ａの切欠き部６５がバケツ本体２１の開口部２３に突出するようになっている。
【００３０】
本実施形態はこのように構成されているから、撒き餌入れとしての使用に当たり、ファスナ４３の操作部４９をハンドル２９間まで移動させて、蓋体２５−１を半折りしてフック５５をフック５７に係合すれば、図７に示すように柄杓保持具６１が半折りした蓋体２５−１と共に反転して現れ、切欠き部６５がバケツ本体２１の開口部２３に突出する。
【００３１】
そして、出入れ口６３を変形させ乍ら柄杓６７の柄６９を切欠き部６５に出し入れすれば、直ぐ使えるように柄杓６７が柄杓保持具６１で保持される。そして、柄杓６７で撒き餌を掬うときに柄杓保持具６１が邪魔になることもなく、また、掬った撒き餌をバケツ本体２１の内周面に押し付けて掬い部で団子状に固める作業をするときにも柄杓保持具６１が邪魔になることもないし、柄杓６７の抜き取りで柄杓保持具６１が外れてしまうこともない。
【００３２】
従って、本実施形態によっても、第一実施形態と同様、実釣時に蓋体２５−１を折り曲げて使用している状態で、直ぐに柄杓６７が使えるようにこれを保持しておくことができると共に、柄杓６７で撒き餌を掬うときに柄杓保持具６１が邪魔にならず、作業がスムーズに行える利点を有する。
尚、上記第一，第二実施形態では、蓋体２５，２５−１をヒンジ部材２７を介してバケツ本体２１に連結したが、バケツ本体に対して蓋体がファスナやバックル等の留め具を介して着脱自在で、実釣時に蓋体を半折りして使用できるバケツに本発明を適用することも可能である。
【００３３】
また、第一，第二実施形態では、蓋体２５，２５−１を半開状態にして柄杓保持具６１が突出するようにしたが、例えば蓋体２５を２／３程開いた状態で柄杓保持具６１が突出するようにしてもよく、更にまた、柄杓保持具６１は板状でなくてもよいし、その形状も上記実施形態に限定されるものではない。
【００３４】
【発明の効果】
以上述べたように、各請求項に係る発明によれば、実釣時に蓋体を折り曲げて使用している状態で、直ぐに柄杓が使えるように柄杓保持具で柄杓を保持しておくことができると共に、柄杓で撒き餌を掬うときに柄杓保持具が邪魔にならず、作業がスムーズに行える利点を有する。
【図面の簡単な説明】
【図１】蓋体を閉じた請求項１及び請求項２の第一実施形態に係るバケツの全体斜視図である。
【図２】蓋体を半折りしたバケツの全体斜視図である。
【図３】蓋体を閉じたバケツの要部拡大断面図である。
【図４】蓋体を半折りしたバケツの要部拡大断面図である。
【図５】蓋体を半折りした請求項１及び請求項２の第二実施形態に係るバケツの全体斜視図である。
【図６】蓋体を閉じたバケツの要部拡大断面図である。
【図７】蓋体を半折りしたバケツの要部拡大断面図である。
【図８】補助蓋を閉じた従来のバケツの全体斜視図である。
【図９】補助蓋の可動蓋を開けたバケツの全体斜視図である。
【図１０】図８のバケツの使用状態を示す側面図である。
【符号の説明】
２１  バケツ本体
２３  開口部
２５，２５−１  蓋体
２５ａ    可動蓋
２５ｂ  固定蓋
４３  ファスナ
５１，５１−１  バケツ
５３  折り溝
５５，５７  フック
５９  スカート部
６１  柄杓保持具
６３  出入れ口
６５  切欠き部
６７  柄杓
６９  柄
【図１】
2004283025.tif 000003
【図２】
2004283025.tif 000004
【図３】
2004283025.tif 000005
【図４】
2004283025.tif 000006
【図５】
2004283025.tif 000007
【図６】
2004283025.tif 000008
【図７】
2004283025.tif 000009
【図８】
2004283025.tif 000010
【図９】
2004283025.tif 000011
【図１０】
2004283025.tif 000012